(57)【要約】【課題】長手方向、短手方向及び深さ方向を有する収納空間を備える包装ケースにおいて、被包装物品の収納安定性を向上させることができる包装ケースを提供すること。【解決手段】長手方向Ｘ、短手方向Ｙ及び深さ方向Ｚを有し且つ深さ方向Ｚの上方に収納開口部Ｓ１１を有する収納空間Ｓ１を備え、板状部材から組み立てられて形成される包装ケース１であって、収納空間Ｓ１の収納開口部Ｓ１１における長手方向Ｘの所定位置に、前記板状部材から切り起こされて形成され且つ短手方向Ｙに向けて延出する屈曲舌片４０を備える。【選択図】図６
2010052798.tif 000002
【特許請求の範囲】
【請求項１】
長手方向、短手方向及び深さ方向を有し且つ該深さ方向の上方に収納開口部を有する収納空間を備え、板状部材から組み立てられて形成される包装ケースであって、
前記収納空間の前記収納開口部における前記長手方向の所定位置に、前記板状部材から切り起こされて形成され且つ前記短手方向に向けて延出する屈曲舌片を備える包装ケース。
【請求項２】
前記屈曲舌片は、前記収納空間の前記長手方向に沿う一面又は一辺から前記短手方向に延びる基端部と、該基端部から前記短手方向に延びると共に前記深さ方向の下方に延びるように屈曲する第１屈曲部と、該第１屈曲部から前記短手方向に延びると共に前記深さ方向の上方に延びるように屈曲する第２屈曲部とを備える請求項１に記載の包装ケース。
【請求項３】
前記屈曲舌片の前記第２屈曲部は、その下面側が、前記収納空間に収納された状態の被包装物品に接触する請求項２に記載の包装ケース。
【請求項４】
前記屈曲舌片の前記第１屈曲部及び前記第２屈曲部は、その前記長手方向の内側の端部が、前記収納空間に収納された状態の前記被包装物品に近接又は接触している請求項３に記載の包装ケース。
【請求項５】
前記板状部材は、矩形状の底板と、該底板における対向する二辺に折り線を介して連設される一対の端板と、前記底板における他の二辺に折り線を介して連設される一対の側板と、該一対の側板のうちの一方の側板における前記底板と対向する辺に折り線を介して連設される蓋板と、前記一対の側板のうちの他方の側板における前記底板と対向する辺に折り線を介して連設される側方仕切板と、該側方仕切板における前記側板と対向する辺に折り線を介して連設され且つ前記底板の上に被包装物品を載置する台座を形成する台座板と、を有しており、
前記収納空間は、第１収納空間を含んで複数形成され、該第１収納空間は、その周囲を前記側方仕切板、前記端板及び前記側板で囲まれ、該第１収納空間の下部に前記台座が配置されており、
前記屈曲舌片は、前記第１収納空間の前記収納開口部における前記長手方向の端部の近傍に設けられ、前記側方仕切板から切り起こされて形成される請求項１〜４のいずれかに記載の包装ケース。
【発明の詳細な説明】
【技術分野】
【０００１】
本発明は、製品等の被包装物品を包装する包装ケースにおいて、段ボール紙などの板状部材から形成される包装ケースに関するものである。
【背景技術】
【０００２】
従来、段ボール紙などの板状部材から形成される包装ケースは、図１１に示されるようなものであった。図１１は、従来の第１の包装ケースを示す図で、（ａ）は展開状態を示す図、（ｂ）は組み立てられた状態を示す斜視図である。図１１（ａ）に示すように、展開状態において、包装ケースは、底板１００と、底板１００の四辺に連接された側板１０１ａ，１０１ｂ，１０１ｂ及び１０１ｃとを備えている。
【０００３】
側板１０１ａの両端には接合片１０２ａ，１０２ａが連接されており、側板１０１ｃの両端には接合片１０２ｃ，１０２ｃが連設されている。また、底板１００には、底板１００と同じ大きさに形成された蓋板１０３が間接的に連設されている。詳細には、蓋板１０３は、４枚の側板１０１のうちの側板１０１ｃに折り線１０３ａを介して連設されている。更に、蓋板１０３の先端には、折り線１０３ｂを介して挿入片１０４が連設されている。
【０００４】
そして、図１１（ｂ）に示すように、接合片１０２ａ及び接合片１０２ｃの外面を側板１０１ｂの内面に接着することにより、包装ケースが組み立てられる。その結果、長手方向、短手方向及び深さ方向を有する収納空間が形成され、収納空間の上部に開口部が形成される。また、図１１（ｂ）に示すように、蓋板１０３及び挿入片１０４をそれぞれ折り線１０３ａ及び１０３ｂで折り畳むことにより、収納空間の開口部が蓋板１０３により覆われる。そして、挿入片１０４が収納空間における側板１０１ａの内側に沿って差し込まれ、蓋板１０３が固定される。
【０００５】
一方、下記特許文献１には、図１２に示すような複数の収納空間を備えた包装ケースが提案されている。図１２は、特許文献１に記載の包装ケースを示す図で、（ａ）は展開状態を示す図、（ｂ）は組み立て途中を示す斜視図、（ｃ）は組み立て後の状態を示す斜視図である。図１２（ａ）に示すように、底板３００の両長辺側にそれぞれ側板３０１，３０１が連設されており、これらの両側板３０１，３０１の外側方にそれぞれ蓋板３０２，３０２が連接されており、更に、これらの両蓋板３０２，３０２の両外側にそれぞれ中仕切片３０３，３０３が連設されている。
【０００６】
また、底板３００の両短辺側にそれぞれ端板３０４，３０４が連設されている。側板３０１と端板３０４と間に、底板３００の４つの角を夫々交点とする略Ｖ字状の折り線が設けられている。この折り線にて台形状の切起用補助片３０５が４個形成される。そして、中仕切片３０３に嵌合用切欠き３０３ａが設けられ、端板３０４に嵌合用切欠き３０４ａが設けられている。
【０００７】
このように構成された包装ケースを組み立てる際には、図１２（ｂ）に示すように、底板３００に対して両側の側板３０１，３０１を上方に折曲させる。これにより、両側板３０１，３０１の間に挟み付けられた端板３０４，３０４が起立する。この状態で、包装ケースに収納される被包装物品（トナーカートリッジ等。図示せず）を底板３００の上に載せる。その後、側板３０１に連設された蓋板３０２及び中仕切片３０３を内向きに折曲させていき、嵌合用切欠き３０３ａを嵌合用切欠き３０４ａに嵌合させることにより、図１２（ｃ）に示すような、長手方向、短手方向及び深さ方向を有する収納空間が２個形成され、各収納空間の上部にそれぞれ開口部が形成される。
【０００８】
【特許文献１】特開平５−１１２３５３号公報
【発明の開示】
【発明が解決しようとする課題】
【０００９】
しかしながら、トナーカートリッジ等の被包装物品は、前述したような長手方向、短手方向及び深さ方向を有する収納空間に対して、凹凸を有していることが多い。そのような被包装物品を収納空間に収納する場合、収納空間に収納された被包装物品は、収納安定性が低く、ガタつきが生じやすい。従って、被包装物品の収納安定性が高い包装ケースが望まれている。
【００１０】
本発明は、長手方向、短手方向及び深さ方向を有する収納空間を備える包装ケースにおいて、被包装物品の収納安定性を向上させることができる包装ケースを提供することを目的とする。
【課題を解決するための手段】
【００１１】
本発明は、長手方向、短手方向及び深さ方向を有し且つ該深さ方向の上方に収納開口部を有する収納空間を備え、板状部材から組み立てられて形成される包装ケースであって、前記収納空間の前記収納開口部における前記長手方向の所定位置に、前記板状部材から切り起こされて形成され且つ前記短手方向に向けて延出する屈曲舌片を備える包装ケースに関する。
【００１２】
また、前記屈曲舌片は、前記収納空間の前記長手方向に沿う一面又は一辺から前記短手方向に延びる基端部と、該基端部から前記短手方向に延びると共に前記深さ方向の下方に延びるように屈曲する第１屈曲部と、該第１屈曲部から前記短手方向に延びると共に前記深さ方向の上方に延びるように屈曲する第２屈曲部とを備えることが好ましい。
【００１３】
また、前記屈曲舌片の前記第２屈曲部は、その下面側が、前記収納空間に収納された状態の被包装物品に接触することが好ましい。
【００１４】
また、前記屈曲舌片の前記第１屈曲部及び前記第２屈曲部は、その前記長手方向の内側の端部が、前記収納空間に収納された状態の前記被包装物品に近接又は接触していることが好ましい。
【００１５】
また、前記板状部材は、矩形状の底板と、該底板における対向する二辺に折り線を介して連設される一対の端板と、前記底板における他の二辺に折り線を介して連設される一対の側板と、該一対の側板のうちの一方の側板における前記底板と対向する辺に折り線を介して連設される蓋板と、前記一対の側板のうちの他方の側板における前記底板と対向する辺に折り線を介して連設される側方仕切板と、該側方仕切板における前記側板と対向する辺に折り線を介して連設され且つ前記底板の上に被包装物品を載置する台座を形成する台座板と、を有しており、前記収納空間は、第１収納空間を含んで複数形成され、該第１収納空間は、その周囲を前記側方仕切板、前記端板及び前記側板で囲まれ、該第１収納空間の下部に前記台座が配置されており、前記屈曲舌片は、前記第１収納空間の前記収納開口部における前記長手方向の端部の近傍に設けられ、前記側方仕切板から切り起こされて形成されることが好ましい。
【発明の効果】
【００１６】
本発明によれば、長手方向、短手方向及び深さ方向を有する収納空間を備える包装ケースにおいて、被包装物品の収納安定性を向上させることができる。
【発明を実施するための最良の形態】
【００１７】
以下、図面を参照しながら本発明の実施形態についで説明する。図１は、本発明の包装ケースの一実施形態を形成するシートを示す展開図である。なお、図１において、斜線で示す部分は打ち抜かれた開口部分を示す。図２は、本発明の包装ケースの一実施形態の組み立て途中を示す斜視図である。図３は、図２に示す状態から組み立てが進んだ状態を示す斜視図である。図４は、図３に示す状態から組み立てが進んだ状態を示す斜視図である。
【００１８】
図１〜図４に示すように、包装ケース１は、長手方向Ｘ、短手方向Ｙ及び深さ方向Ｚを有し且つ深さ方向Ｚの上方に収納開口部Ｓ１１を有する収納空間（第１収納空間）Ｓ１を備えている。包装ケース１は、段ボール紙などの１枚のシート（板状部材）１Ａから組み立てられて形成される。
第１収納空間Ｓ１において、収納開口部Ｓ１１は長方形状である。また、図１に示す展開状態において、底板２を基準として、第１収納空間Ｓ１の長手方向Ｘに対応する方向を「Ｘ軸方向」ともいい、第１収納空間Ｓ１の短手方向Ｙに対応する方向を「Ｙ軸方向」ともいう。
【００１９】
図４に示すように、本実施形態の包装ケース１においては、第１収納空間Ｓ１の収納開口部Ｓ１１における長手方向Ｘの端部の近傍に、屈曲舌片４０が設けられている。屈曲舌片４０は、基端部４１と、第１屈曲部４２と、第２屈曲部４３とを備える。本実施形態の包装ケース１は、この屈曲舌片４０を備えることを特徴とする。屈曲舌片４０の詳細については後述する。
【００２０】
図１〜図４に示すように、シート１Ａ（包装ケース１）は、底板２、一対の側板３、４、一対の端板５，５、蓋板６、連結板９、側方仕切板１０、台座板１１、第１フラップ２１、第２フラップ２２などを備えている。
【００２１】
底板２は、Ｘ軸方向がＹ軸方向よりも長い長方形状を有している。底板２におけるＹ軸方向の両端縁には、折り線を介して一対の側板３、４が連設されている。各側板３、４は、Ｘ軸方向がＹ軸方向よりも長い長方形状を有している。
また、底板２におけるＸ軸方向の両端縁には、それぞれ折り線を介して一対の端板５，５が連設されている。各端板５において、Ｘ軸方向の長さは側板３、４におけるＹ軸方向の長さと略同一であり、Ｙ軸方向の長さは底板２におけるＹ軸方向の長さと略同一である。
【００２２】
側板３における底板２と対向する辺には、折り線を介して蓋板６が連設されている。蓋板６において、Ｙ軸方向の長さは底板２におけるＹ軸方向の長さと略同一であり、Ｙ軸方向の長さは側板３におけるＸ軸方向の長さと略同一である。更に、この蓋板６において、側板３と対向する辺には、挿入片７ａが折り線を介して連設されている。この蓋板６において、側板３と垂直な辺には、一対の挿入片７ｂ，７ｂが折り線を介して連設されている。挿入片７ａにおけるＹ軸方向の略中央部には、蓋板６との間の折り線に沿って、スリット８が形成されている。なお、スリット８におけるＸ軸方向の長さは、後述する蓋板固定片１７を挿入できるように、蓋板固定片１７におけるＸ軸方向の長さよりも若干長く形成されている。
【００２３】
側板４における底板２と対向する辺には、連結板９、側方仕切板１０及び台座板１１が、それぞれ折り線を介してこの順に連設されている。連結板９、側方仕切板１０及び台座板１１におけるＸ軸方向の長さは、底板２におけるＸ軸方向の長さと略同一である。側方仕切板１０におけるＹ軸方向の長さは、側板４におけるＹ軸方向の長さと略同一である。
【００２４】
台座板１１は、側方仕切板１０と連続する辺に平行な折り線により、側方仕切板１０側から順に第１支持部１２、被包装物品載置面１３及び第２支持部１４に３分割されている。被包装物品載置面１３における第１支持部１２側には、側方仕切板１０と連続する辺に平行な折り線１５が形成されている。連結板９におけるＹ軸方向の長さと被包装物品載置面１３とのＹ軸方向の長さとの和は、底板２におけるＹ軸方向の長さと略同一である。第１支持部１２におけるＹ軸方向の長さと第２支持部１４におけるＹ軸方向の長さは、略同一である。
【００２５】
第２支持部１４におけるＸ軸方向の略中央部には、第１台座板固定片１１ａがＹ軸方向に突出して設けられている。第２支持部１４におけるＸ軸方向の両端部には、一対の第２台座板固定片１１ｂ，１１ｂがＸ軸方向に突出して設けられている。
【００２６】
また、連結板９におけるＸ軸方向の中央部には、開口部１６がＹ軸方向の全幅に亘って形成されている。側板４には、開口部１６に向けて突出する蓋板固定片１７が設けられている。また、側方仕切板１０には、開口部１６に向けて突出する突出片１８が設けられている。
【００２７】
更に、第１支持部１２におけるＸ軸方向の略中央部には、保持用開口部１９がＹ軸方向の全幅に亘って形成されている。この保持用開口部１９は、台形状の挿通部１９ａと矩形状の固定部１９ｂとが連通されてなる。台形状の挿通部１９ａは、側方仕切板１０側から台座板１１側へ近づくに従ってＸ軸方向の長さが漸次短くなるように形成されている。
【００２８】
ここで、固定部１９ｂは、第１支持部１２と被包装物品載置面１３との間の折り線に沿って開口している。固定部１９ｂのＹ軸方向の幅はシート１Ａの厚さよりも若干大きく、固定部１９ｂのＸ軸方向の長さは、台形状の挿通部１９ａの最も短い部分よりも若干長い。これにより、挿通部１９ａと固定部１９ｂとの間には、保持用開口部１９の内方へと突出する突出部が形成されている。
【００２９】
一方、側方仕切板１０における第１支持部１２と連続する側の辺には、折曲保持片２０が保持用開口部１９に隣接して設けられている。この折曲保持片２０におけるＹ軸方向の長さは、保持用開口部１９におけるＹ軸方向の長さ、即ち、第１支持部１２におけるＹ軸方向の長さと略同一である。
【００３０】
また、折曲保持片２０におけるＸ軸方向の長さは、側方仕切板１０の第１支持部１２と連続する辺上が最も長く、挿通部１９ａのＸ軸方向に最も長い部分と略同一になっている。折曲保持片２０は、連結板９側に近づくに従ってＸ軸方向の長さが漸次短くなる。折曲保持片２０において、最も短い部分の長さは、固定部１９ｂにおけるＸ軸方向の長さよりも若干短いと共に、挿通部１９ａにおけるＸ軸方向に最も短い部分よりも若干長い。
【００３１】
更に、各端板５には、蓋板６の方向に突出する第１フラップ２１、及び連結板９の方向に突出する第２フラップ２２がそれぞれ折り線を介して連設されている。第２フラップ２２には、差し込み片２３、差し込み孔２４、係合片２５、係合孔２６及びＸ軸方向に延びる４本の折り線が所定の位置に形成されている。
【００３２】
次に、第１台座板固定片１１ａが挿入されて係合する第１係合孔部２ａ、並びに第２台座板固定片１１ｂが挿入されて係合する第２係合孔部５ａ及び第３係合孔部５ｂについて説明する。
【００３３】
底板２と側板３との間の折れ線の近傍には、第１係合孔部２ａがこの折り線に沿って設けられている。第１係合孔部２ａは、底板２に設けられていてもよく、側板３に設けられていてもよく、あるいは底板２及び側板３に跨って設けられていてもよい。第１係合孔部２ａにおけるＸ軸方向の長さは、後述する第１台座板固定片１１ａを挿入できるように、第１台座板固定片１１ａにおけるＸ軸方向の長さよりも若干長くなっている。
【００３４】
端板５と第１フラップ２１との間の折れ線の近傍には、この折り線に沿った第２係合孔部５ａが設けられている。第２係合孔部５ａにおけるＸ軸方向の長さは、後述する第２台座板固定片１１ｂを挿入できるように、第２台座板固定片１１ｂにおけるＹ軸方向の長さよりも若干長くなっている。
【００３５】
底板２と端板５との間の折れ線の近傍には、この折り線に沿った第３係合孔部５ｂが設けられている。第３係合孔部５ｂにおけるＹ軸方向の長さは、後述する第２台座板固定片１１ｂを挿入できるように、第２台座板固定片１１ｂにおけるＹ軸方向の長さよりも若干長くなっている。
【００３６】
次に、屈曲舌片４０について説明する。図１及び図４に示すように、屈曲舌片４０は、シート１Ａ（具体的には、側方仕切板１０）から切り起こされて形成されており、第１収納空間Ｓ１の短手方向Ｙに向けて延出している。屈曲舌片４０は、基端部４１と、第１屈曲部４２と、第２屈曲部４３とを備える。
基端部４１は、第１収納空間Ｓ１の収納開口部Ｓ１１における長手方向Ｘの端部の近傍に設けられており、第１収納空間Ｓ１の長手方向Ｘに沿う一辺から短手方向Ｙに延びている。
【００３７】
第１屈曲部４２は、基端部４１から短手方向Ｙに延びると共に、深さ方向Ｚの下方に延びるように屈曲している。
第２屈曲部４３は、第１屈曲部４２から短手方向Ｙに延びると共に、深さ方向Ｚの上方に延びるように屈曲している。
なお、第１屈曲部４２及び第２屈曲部４３は、通常の使用態様において屈曲していればよく、その他の場合に伸ばされていても（屈曲していなくても）よい。
【００３８】
次に、本実施形態の第１収納空間Ｓ１に収納されて包装される被包装物品について簡単に説明する。図５は、包装ケース１に包装される被包装物品を示す斜視図である。
本実施形態の包装ケース１における第１収納空間Ｓ１に収納されて包装される被包装物品は、図５に示すように、トナーが収容されるトナーカートリッジ（「トナーコンテナ」とも呼ばれる）３１である。トナーカートリッジ３１は、全体視で長尺柱状であり、その長手方向を、第１収納空間Ｓ１の長手方向Ｘに沿わせて第１収納空間Ｓ１に収納される。トナーカートリッジ３１の外面は、一般的に、多数の曲面及び平面が組み合わされて構成されるが、図５においては、便宜上、底面が長方形の四角柱状に描いている。なお、図５には、便宜上、第１収納空間Ｓ１の長手方向Ｘ、幅方向Ｙ及び深さ方向Ｚを示している。
【００３９】
トナーカートリッジ３１の上面（ここでは、第１収納空間Ｓ１に収納された状態において、収納開口部Ｓ１１側に位置する面）における長手方向の一端部には、第１収納空間Ｓ１の深さ方向Ｚに凹んだ凹部３１ａが形成されている。なお、図５においては、便宜上、凹部３１ａを三角柱状に描いているが、凹部３１ａは、一般的に、複雑な曲面から形成される。凹部３１ａは、トナーカートリッジ３１における長手方向の一端部から、この長手方向に沿って延びているが、トナーカートリッジ３１における長手方向の他端部には達していない。従って、凹部３１ａは、そのトナーカートリッジの長手方向の中央部側に、深さ方向Ｚに起立する壁部３１ｂを有している。
【００４０】
次に、本実施形態の包装ケース１の組み立て手順について説明する。先ず、図２に示すように、側板４と連結板９との間の折り線を折り曲げて、連結板９、側方仕切板１０及び台座板１１を上方へと持ち上げた後、台座板１１が側方仕切板１０に対して底板２と逆側に位置するように、側方仕切板１０と台座板１１との間の折り線を矢印Ｅの方向に折り曲げる。そして、折曲保持片２０を保持用開口部１９内へ挿入して、側方仕切板１０と台座板１１との折り曲げ状態を保持する。また、第２フラップ２２を折り線に沿って角筒状に折り曲げた後、差し込み片２３を差し込み孔２４に挿入すると共に係合片２５を係合孔２６に挿入して、支柱部２７を形成する。
【００４１】
次に、図３に示すように、図２に示す状態から側板３、側板４及び端板５，５を底板２に対して垂直に起立させる。同時に、第１フラップ２１を内側へ折り曲げて側板３の内面に沿わせる。端板５を起立させると、支柱部２７が起立する。次いで、連結板９と側方仕切板１０との間の折り線を折り曲げて、側方仕切板１０及び台座板１１を底板２に向けて折り込んでいく。なお、折曲保持片２０によって側方仕切板１０と台座板１１との間の折り曲げ状態が保持されているため、側方仕切板１０等の折り込み作業を容易に行うことができる。
【００４２】
ここで、端板５に形成された支柱部２７が側板４、連結板９及び側方仕切板１０によって覆われることにより、端板５の折り曲げ状態が保持されて箱体が維持される。そして、このように形成された箱体の内部は、図４に示すように、垂直方向に起立する側方仕切板１０によって仕切られる。その結果、箱体の内部に、側板３、端板５及び側方仕切板１０によって囲まれた第１収納空間（収納空間）Ｓ１と、側板４、端板５、連結板９及び側方仕切板１０によって囲まれた第２収納空間Ｓ２とが形成される。そして、箱体を形成した後、台座板１１を、図３に示す矢印Ｆの方向に折り曲げる。
【００４３】
次に、第１収納空間Ｓ１における台座板１１の２種類の折り曲げ形態について説明する。図６は、第１の折り曲げ形態の台座板１１の上に被包装物品を載置した状態を示す斜視図である。図７は、図６に示す状態を、屈曲舌片４０を通る切断線で切断して示す側面断面図である。図８は、第２の折り曲げ形態の台座板１１の上に被包装物品を載置した状態を示す斜視図である。図９は、図８に示す状態の側面断面図である。図１０は、組み立てられた状態の包装ケースを示す斜視図である。
【００４４】
図６及び図７に示すように、台座板１１は、第１の折り曲げ形態に折り曲げられ、第１の台座３０ａを形成する。詳述すると、台座板１１について、第１支持部１２及び第２支持部１４を被包装物品載置面１３に対して垂直下向きに起立するように折曲する。これと共に、第１台座板固定片１１ａを第１係合孔部２ａに係合させると共に、第２台座板固定片１１ｂを第２係合孔部５ａに係合させる。これにより、第１支持部１２及び第２支持部１４によって被包装物品載置面１３が底板２に対して略平行に支持された形態を有する第１の台座３０ａが形成される。
【００４５】
なお、第１支持部１２の下端部は側方仕切板１０と連続しており、前述したように、側方仕切板１０との間の折り線の折り曲げが折曲保持片２０によって保持されているため、底板２に対する第１支持部１２の傾倒が防止される。また、第１台座板固定片１１ａと第１係合孔部２ａとの係合及び第２台座板固定片１１ｂと第２係合孔部５ａとの係合により、第２支持部１４は固定されているため、第２支持部１４の底板２に対する傾倒も防止される。そして、第１の台座３０ａの上に、被包装物品であるトナーカートリッジ３１を載置する。
【００４６】
ここで、屈曲舌片４０の第２屈曲部４３は、その下面側（被包装物品３１側）が、第１収納空間Ｓ１に収納された状態の被包装物品３１に接触する。屈曲舌片４０は、第１屈曲部４２と第２屈曲部４３と間で弾性を有しており、そのため、第２屈曲部４３の下面側は、被包装物品３１に弾性的に接触する。
【００４７】
また、屈曲舌片４０の第１屈曲部４２及び第２屈曲部４３は、その第１収納空間Ｓ１の長手方向Ｘの内側の端部が、第１収納空間Ｓ１に収納された状態の被包装物品３１に近接又は接触している。本実施形態においては、第１屈曲部４２及び第２屈曲部４３における前記端部は、被包装物品３１に接触していないが、近接している。
【００４８】
また、図８及び図９に示すように、台座板１１は、第２の折り曲げ形態に折り曲げられ、第２の台座３０ｂを形成する。詳述すると、台座板１１について、第１支持部１２が被包装物品載置面１３に対して垂直下向きに起立するように折り曲げると共に、被包装物品載置面１３の折り線１５を山折りに折り曲げる。これと共に、第１台座板固定片１１ａを第１係合孔部２ａに係合させると共に、第２台座板固定片１１ｂを第３係合孔部５ｂに係合させる。これにより、被包装物品載置面１３が底板２に対して所定の角度を有する第２の台座３０ｂが形成される。そして、第２の台座３０ｂの上に、別の形状のトナーカートリッジ３２を載置する。
【００４９】
ここで、屈曲舌片４０の第２屈曲部４３は、その下面側（被包装物品３２側）が、第１収納空間Ｓ１に収納された状態の被包装物品３２に接触する。屈曲舌片４０は、第１屈曲部４２と第２屈曲部４３と間で弾性を有しており、そのため、第２屈曲部４３の下面側は、被包装物品３２に弾性的に接触する。
【００５０】
このように、本実施形態においては、台座板１１の折り曲げ形態を変更することにより、第１収納空間Ｓ１の長手方向Ｘに視た第１の台座３０ａ、第２の台座３０ｂの断面形状も変化するため、第１収納空間Ｓ１の長手方向Ｘに視た形状が異なる２種類の被包装物品３１，３２を、同一の包装ケース１を用いて選択的に収納することができる。
【００５１】
次に、第２収納空間Ｓ２内に同梱物（図示せず。例えば廃トナーボトル）を収納する。このとき、支柱部２７が前記同梱物の位置決め部材として機能するため、第２収納空間Ｓ２における同梱物のガタつきを抑制することができる。
【００５２】
第１収納空間Ｓ１に被包装物品を収容すると共に第２収納空間Ｓ２に同梱品を収納した後、蓋板６を図６及び図８に示す矢印Ｇの方向へと折り曲げて、挿入片７ａを連結板９に設けられた開口部１６に挿入し、挿入片７ｂを端板５の内面に沿うように挿入する。そして、挿入片７ａに設けられたスリット８に、外側から蓋板固定片１７を挿入することにより包装ケース１の組み立てが完了する。
【００５３】
以上の構成を有する本実施形態の包装ケース１によれば、以下の効果が奏される。
本実施形態においては、第１収納空間Ｓ１の収納開口部Ｓ１１における長手方向Ｘの所定位置に、シート１Ａから切り起こされて形成され且つ短手方向Ｙに向けて延出する屈曲舌片４０を備えている。特に、屈曲舌片４０は、基端部４１と、基端部４１から短手方向Ｙに延びると共に深さ方向Ｚの下方に延びるように屈曲する第１屈曲部４２と、第１屈曲部４２から短手方向Ｙに延びると共に深さ方向Ｚの上方に延びるように屈曲する第２屈曲部４３とを備えている。そのため、第１収納空間Ｓ１に収納されている被包装物品（トナーカートリッジ）３１，３２が第１収納空間Ｓ１の幅方向Ｙにガタついたとしても、屈曲舌片４０の第２屈曲部４３の下面により被包装物品３１，３２の幅方向Ｙのガタつきが防止される。従って、被包装物品３１，３２の収納安定性を向上させることができる。
【００５４】
また、本実施形態においては、屈曲舌片４０の第１屈曲部４２及び第２屈曲部４３は、その第１収納空間Ｓ１の長手方向Ｘの内側の端部が、第１収納空間Ｓ１に収納された状態の被包装物品に近接又は接触している。そのため、第１収納空間Ｓ１に収容されている被包装物品が第１収納空間Ｓ１の長手方向Ｘにガタついたとしても、屈曲舌片４０の第１屈曲部４２及び第２屈曲部４３の前記端部が、被包装物品３１に接触し、被包装物品３１の長手方向Ｘのガタつきが防止される。従って、被包装物品３１の収納安定性を一層向上させることができる
【００５５】
以上、本発明の好適な実施形態について説明したが、本発明は上述した実施形態に限定されることなく種々の形態で実施することができる。
例えば、屈曲舌片４０は、前記実施形態においては、第１収納空間Ｓ１における長手方向Ｘの一方の端部の近傍のみに設けられているが、これに制限されず、第１収納空間Ｓ１における長手方向Ｘの両方の端部それぞれの近傍に計２個設けることもできる。屈曲舌片４０は、第１収納空間Ｓ１における長手方向Ｘの端部の近傍よりも長手方向Ｘの内側（例えば中央部）に設けることができる。屈曲舌片４０の個数は制限されない。
【００５６】
屈曲舌片の屈曲形状は、前記実施形態における屈曲舌片４０の屈曲形状に制限されない。例えば、屈曲舌片４０において、基端部４１がなく、第１屈曲部４２及び第２屈曲部４３から構成されていてもよい。また、屈曲舌片４０においては、第２屈曲部４３の先に更に屈曲部を設けることもできる。
屈曲舌片４０の基端部４１は、前記実施形態においては第１収納空間Ｓ１の長手方向Ｘに沿う一辺から短手方向Ｙに延びているが、これに制限されず、第１収納空間Ｓ１の長手方向Ｘに沿う一面から（つまり、前記一辺よりも面方向内側の位置から）短手方向Ｙに延びていてもよい。
【００５７】
屈曲舌片４０を備えた収納空間は、前記実施形態においては第１収納空間Ｓ１のみであるが、これに制限されず、他の収納空間（例えば、第２収納空間Ｓ２）にも屈曲舌片４０を設けることができる。第２収納空間Ｓ２はなくてもよい。
本発明の包装ケースは、２枚以上の板状部材から形成することができる。
【図面の簡単な説明】
【００５８】
【図１】本発明の包装ケースの一実施形態を形成するシートを示す展開図である。
【図２】本発明の包装ケースの一実施形態の組み立て途中を示す斜視図である。
【図３】図２に示す状態から組み立てが進んだ状態を示す斜視図である。
【図４】図３に示す状態から組み立てが進んだ状態を示す斜視図である。
【図５】包装ケース１に包装される被包装物品３１を示す斜視図である。
【図６】第１の折り曲げ形態の台座板１１の上に被包装物品３１を載置した状態を示す斜視図である。
【図７】図６に示す状態を、屈曲舌片４０を通る切断線で切断して示す側面断面図である。
【図８】第２の折り曲げ形態の台座板１１の上に被包装物品３２を載置した状態を示す斜視図である。
【図９】図８に示す状態の側面断面図である。
【図１０】組み立てられた状態の包装ケース１を示す斜視図である。
【図１１】従来の第１の包装ケースを示す図で、（ａ）は展開状態を示す図、（ｂ）は組み立てられた状態を示す斜視図である。
【図１２】特許文献１に記載の包装ケースを示す図で、（ａ）は展開状態を示す図、（ｂ）は組み立て途中を示す斜視図、（ｃ）は組み立て後の状態を示す斜視図である。
【符号の説明】
【００５９】
１……包装ケース、１Ａ……シート（板状部材）、２……底板、３，４……側板、５……端板、６……蓋板、１０……側方仕切板、３０ａ……第１の台座（台座）、３０ｂ……第２の台座（台座）、３１，３２……トナーカートリッジ（被包装物品）、４０……屈曲舌片、４１……基端部、４２……第１屈曲部、４３……第２屈曲部、Ｓ１……第１収納空間（収納空間）、Ｓ１１……収納開口部、Ｘ……長手方向、Ｙ……短手方向、Ｚ……深さ方向
【図１】
2010052798.tif 000003
【図２】
2010052798.tif 000004
【図３】
2010052798.tif 000005
【図４】
2010052798.tif 000006
【図５】
2010052798.tif 000007
【図６】
2010052798.tif 000008
【図７】
2010052798.tif 000009
【図８】
2010052798.tif 000010
【図９】
2010052798.tif 000011
【図１０】
2010052798.tif 000012
【図１１】
2010052798.tif 000013
【図１２】
2010052798.tif 000014